(57)【要約】【課題】点灯検査の所要時間を短縮する。【解決手段】カラー表示用のプラズマディスプレイパネルの点灯状態の良否を判定するために、画面内の全セルを点灯すべきセルとする第１サブフレームと画面内の全セルを点灯すべきでないセルとする第２サブフレームとから構成されるフレームが繰り返し表示される。第１サブフレームを表示するために、画面内の各セルの壁電圧を低下させるためのリセット操作、複数のアドレス電極を一括して選択電位にバイアスした状態で画面内のセルにライン順次にスキャンパルスを印加する全面点灯アドレッシング操作、および画面内のセルに一斉にサステインパルスを印加するサステイン操作が行われ、かつ第２サブフレームを表示するために、リセット操作、複数のアドレス電極を一括して非選択電位に保った状態で画面内のセルにライン順次にスキャンパルスを印加する全面非点灯アドレッシング操作、およびサステイン操作が行われる。【選択図】図２
2010062047.tif 000002
【特許請求の範囲】
【請求項１】
誘電体で被覆された複数の表示電極および前記表示電極と交差する複数のアドレス電極を有し、前記複数のアドレス電極のそれぞれに画面を構成する発色の異なる３種のセルのうちの１種のセルが対応するプラズマディスプレイパネルの点灯検査方法であって、
前記画面の点灯状態の良否を判定するために、前記画面内の全セルを点灯すべきセルとする２値画像である第１サブフレームと前記画面内の全セルを点灯すべきでないセルとする２値画像である第２サブフレームとから構成されるフレームを繰り返し表示し、その際に
前記第１サブフレームを表示するために、前記画面内の各セルの壁電圧を低下させるためのリセット操作、前記複数のアドレス電極を一括して選択電位にバイアスした状態で前記画面内のセルにライン順次にスキャンパルスを印加する全面点灯アドレッシング操作、および前記画面内のセルに一斉にサステインパルスを印加するサステイン操作を行い、かつ
前記第２サブフレームを表示するために、前記リセット操作、前記複数のアドレス電極を一括して非選択電位に保った状態で前記画面内のセルにライン順次にスキャンパルスを印加する全面非点灯アドレッシング操作、および前記サステイン操作を行う
ことを特徴とするプラズマディスプレイパネルの点灯検査方法。
【請求項２】
前記第１サブフレームと前記第２サブフレームとを交互に表示する
請求項１に記載のプラズマディスプレイパネルの点灯検査方法。
【請求項３】
前記第１サブフレームと前記第２サブフレームとに同じ長さの期間を割り当て、前記表示電極の制御のための駆動波形を前記第１サブフレームと前記第２サブフレームとで共通にする
請求項２に記載のプラズマディスプレイパネルの点灯検査方法。
【請求項４】
前記複数のアドレス電極を、これらの端部を導体で接続することによって、電気的に共通化する
請求項１ないし３のいずれかに記載のプラズマディスプレイパネルの点灯検査方法。
【請求項５】
誘電体で被覆された複数の表示電極および前記表示電極と交差する複数のアドレス電極を有し、前記複数のアドレス電極のそれぞれに画面を構成する発色の異なる３種のセルのうちの１種のセルが対応するプラズマディスプレイパネルの点灯検査方法であって、
前記画面の点灯状態の良否を判定するために、前記複数のアドレス電極を一括して選択電位にバイアスした状態で前記画面内のセルにライン順次にスキャンパルスを印加する全面点灯アドレッシング操作と、前記複数のアドレス電極を一括して非選択電位に保った状態で前記画面内のセルにライン順次にスキャンパルスを印加する全面非点灯アドレッシング操作とを交互に繰り返し実行し、その際にこれら操作の間に前記複数の表示電極を用いて前記画面内のセルに一斉にサステインパルスを印加するサステイン操作および前記画面内の各セルの壁電圧を低下させるためのリセット操作を実行する
ことを特徴とするプラズマディスプレイパネルの点灯検査方法。
【請求項６】
誘電体で被覆された複数の表示電極および前記表示電極と交差する複数のアドレス電極を有し、前記複数のアドレス電極のそれぞれに画面を構成する発色の異なる３種のセルのうちの１種のセルが対応するプラズマディスプレイパネルの点灯検査に使用される検査用表示装置であって、
前記プラズマディスプレイパネルに駆動電圧を印加する複数のドライバと、
前記画面内の全セルを点灯すべきセルとする２値画像である第１サブフレームと前記画面内の全セルを点灯すべきでないセルとする２値画像である第２サブフレームとから構成されるフレームを繰り返し表示するように、前記複数のドライバを制御するコントローラとを備え、
前記コントローラは、
前記画面内の各セルの壁電圧を低下させるためのリセット操作、前記複数のアドレス電極を一括して選択電位にバイアスした状態で前記画面内のセルにライン順次にスキャンパルスを印加する全面点灯アドレッシング操作、および前記画面内のセルに一斉にサステインパルスを印加するサステイン操作を前記複数のドライバに行わせる、前記第１サブフレームを表示するための制御部と、
前記第２サブフレームを表示するために、前記リセット操作、前記複数のアドレス電極を一括して非選択電位に保った状態で前記画面内のセルにライン順次にスキャンパルスを印加する全面非点灯アドレッシング操作、および前記サステイン操作を前記複数のドライバに行わせる、前記第２サブフレームを表示するための制御部と、有する
ことを特徴とする検査用表示装置。
【発明の詳細な説明】
【技術分野】
【０００１】
本発明は、カラー表示の可能なＡＣ型のプラズマディスプレイパネルの点灯検査方法および検査用表示装置に関する。
【背景技術】
【０００２】
プラズマディスプレイパネルは、前面基板と背面基板とに挟まれかつ隔壁で区画されたガス封入空間をもち、ガス放電によって赤、緑および青の３色の紫外線励起型蛍光体を選択的に発光させてカラー表示を行う。蛍光体を発光させる表示放電は、いわゆる面放電形式の放電（以下、これを面放電という）である。面放電はマトリクス表示領域である画面の水平方向に沿って平行に延びる第１および第２の表示電極の電極間で生じる。表示電極は一般に前面基板に配列され、ストライプ配列で行にそれぞれ対応する表示ラインを画面内に定める。画面には表示ラインと交差するようにアドレス電極が配列され、表示ラインとアドレス電極との交点のそれぞれに表示素子であるセルが対応する。
【０００３】
典型的な画面の色配列は、赤、緑および青が水平方向に沿って並ぶいわゆるストライプ配列である。ストライプ配列の画面において、マトリクス表示の各列に対応する垂直セル列に属するセルの発色は同じであり、隣接する垂直セル列の間では発色が異なる。各垂直セル列には１本のアドレス電極が対応する。すなわち、各アドレス電極には赤、緑および青の３色のうちのいずれか１色が対応する。
【０００４】
プラズマディスプレイパネルを製造する工場では、完成したプラズマディスプレイパネルに対する点灯検査が行われる。従来の検査では、全セルを点灯させる全面白色表示が行われ、その後またはその前に１つの色のセルを全て点灯させる単色表示が３色について順に行われる。これらの表示を検査担当者が観察してプラズマディスプレイパネルの良否を判別する。全面白色表示中には、主として暗いセル（暗点）および目立って明るいセル（輝点）の有無が調べられる。そして、単色表示中には、表示色に対応したアドレス電極の断線の有無が調べられる。
【０００５】
白色表示による点灯検査に関して、ＣＣＤカメラを用いて検査を自動化することが特許文献１において提案されている。また、同文献には、プラズマディスプレイパネルのエージングに際して、矩形状のプラズマディスプレイパネルの４辺に沿ってそれぞれ配置された４つの端子群に４つの長尺の外部電極（電極バー）の１つずつを接触させた状態で、これら４つの電極バー及び端子群を介して、プラズマディスプレイパネルの電極に電圧を印加することが記載されている。
【特許文献１】特開２００６−１００１２２号公報
【発明の開示】
【発明が解決しようとする課題】
【０００６】
単色表示を行うには、総数が画面の水平解像度の３倍である多数のアドレス電極をそれらに対応するセルの色ごとに個別に制御しなければならない。白色表示とは違って多数のアドレス電極を共通接続して一括に駆動回路と接続することができない。このため、点灯検査に際しては、アドレス電極の端子群に対応した端子群を有する配線板を用いてアドレス電極と駆動回路とが接続される。一般に、端子の配列間隔は２００μｍ以下と小さいので、プラズマディスプレイパネルに対する配線板の位置決めは難しい。今後、画面の高精細化が進むと、ますます位置決めは難しくなり位置決め作業の所要時間が長くなる。
【０００７】
また、アドレス電極の断線の有無を調べるために３色について１色ずつ計３回の単色表示を行うには、それ相応の時間が必要である。
【０００８】
本発明はこのような事情に鑑みてなされ、点灯検査の所要時間を短縮することを目的としている。
【課題を解決するための手段】
【０００９】
上記目的を達成する方法は、誘電体で被覆された複数の表示電極および前記表示電極と交差する複数のアドレス電極を有し、前記複数のアドレス電極のそれぞれに画面を構成する発色の異なる３種のセルのうちの１種のセルが対応するプラズマディスプレイパネルの点灯検査方法であって、前記画面の点灯状態の良否を判定するために、前記画面内の全セルを点灯すべきセルとする２値画像である第１サブフレームと前記画面内の全セルを点灯すべきでないセルとする２値画像である第２サブフレームとから構成されるフレームを繰り返し表示し、その際に前記第１サブフレームを表示するために、前記画面内の各セルの壁電圧を低下させるためのリセット操作、前記複数のアドレス電極を一括して選択電位にバイアスした状態で前記画面内のセルにライン順次にスキャンパルスを印加する全面点灯アドレッシング操作、および前記画面内のセルに一斉にサステインパルスを印加するサステイン操作を行い、かつ前記第２サブフレームを表示するために、前記リセット操作、前記複数のアドレス電極を一括して非選択電位に保った状態で前記画面内のセルにライン順次にスキャンパルスを印加する全面非点灯アドレッシング操作、および前記サステイン操作を行うものである。点灯状態の良否の判定手段は任意である。作業者が目視の結果に基づいて判定することができ、画像認識技術を用いて判定を自動化することもできる。
【００１０】
この方法による点灯検査では、画面内の全セルを対象とした点灯制御が断続的に行われ、点灯制御と次の点灯制御との間に非点灯制御が行われる。ここでいう点灯制御とは、セルが正常である場合にそれが点灯するようなアドレッシング操作およびサステイン操作を含む一連の駆動制御を意味する。非点灯制御とは、セルが正常であったとしてもそれが点灯しないようなアドレッシング操作およびサステイン操作を含む一連の駆動制御を意味する。全セルが正常であれば、点灯制御が行われる度に全セルが点灯する。画面を観察すると、点灯制御が連続的である場合と比べて画面は暗い。点灯制御が連続的である場合の表示色を白色とすると、当該点灯検査における表示色は暗い白色（灰色）、すなわち中間調の無彩色である。ただし、画面の明るさは単位時間あたりの点灯回数に依存する。
【００１１】
画面全体にわたって明るさおよび表示色が一様であれば点灯状態は良好であり、プラズマディスプレイパネルを良品とすることができる。これに対して、顕著な暗点または輝点があれば点灯状態は不良である。また、電極の断線によって現れる水平方向または垂直方向の暗い線があった場合も点灯状態は不良である。
【００１２】
アドレス電極の断線は表示色の乱れとして現れる。アドレス電極の断線がなければ、隣接する３列の組の表示色は上述のように無彩色である。しかし、当該組の中の例えば赤の列に対応するアドレス電極が断線していると、赤のセルは点灯しないので、当該組の表示色は赤の補色（シアン）となる。そして、この表示色は有彩色である。当該組の中の２列が点灯しない場合には、当該組の表示色は残りの一つの列の発色となる。これも有彩色である。無彩色の背景に有彩色の線が現れる表示色の乱れは、目視において目立つので見つけ易い。有彩色が何色かを判別することで、どの発色に対応するアドレス電極が断線したかがわかる。
【発明の効果】
【００１３】
本発明によれば、色の異なる３種の単色表示を順に行うことなくアドレス電極の断線の有無を確認することができるので、単色表示を省略することによって点灯検査の所要時間を短縮することができる。
【００１４】
また、複数のアドレス電極を電気的に共通化して駆動回路に接続してもよいので、接続作業が容易になる。
【発明を実施するための最良の形態】
【００１５】
プラズマディスプレイパネルを製造する工場において、作業者が図１に示す検査用表示装置１を使用して目視による点灯検査を行う。検査用表示装置１は、所定のスイッチ操作または外部装置からの信号入力に呼応して後述のフレームを表示する。作業者は、フレームを表示している状態の画面を観察し、セルの欠陥や電極の断線といった不具合の有無を判定する。
【００１６】
検査対象であるＡＣ型のプラズマディスプレイパネル２は、カラー表示の可能な画面５０を有する。画面５０において、交互に配列された第１の表示電極Ｘおよび第２の表示電極Ｙが水平方向に延び、アドレス電極Ａが垂直方向に延びる。表示電極Ｘおよび表示電極Ｙは画面５０内に表示ラインを定め、各表示ラインにおいて面放電形式の表示放電を生じさせるための電極対を構成する。表示電極対とアドレス電極Ａとの交差部にそれぞれセルが画定される。各アドレス電極Ａには発色の異なる３種のセルのうちの１種のセルが対応する。画面５０の仕様が例えばフルハイビジョン仕様である場合、表示ライン数は垂直解像度と同数の１０８０で、アドレス電極Ａの総数は水平解像度の３倍の５７６０である。
【００１７】
検査用表示装置１は、表示電極Ｘに電圧パルスを印加するＸドライバ６１、表示電極Ｙに電圧パルスを印加するＹドライバ６２、アドレス電極ＡをバイアスするＡドライバ６３、ドライバによるパルス印加を制御するコントローラ６５、放電のための電力を供給する電源回路６６、およびプラズマディスプレイパネル２との電気的接続のためのコンタクト部材６７，６８，６９を備える。Ｙドライバ６２は、スキャンパルスを印加するスキャンニング回路６２１およびサステインパルスを印加するサステイン回路６２２を有する。コントローラ６５は、後述する第１サブフレームを表示するための制御部６５１および第２サブフレームを表示するための制御部６５２を有する。制御部６５１，６５２は、あらかじめ波形データを記憶しているメモリを参照してプラズマディスプレイパネル２に所定の駆動電圧を印加するようにＸドライバ６１、Ｙドライバ６２およびＡドライバ６３を制御する。
【００１８】
Ｘドライバ６１はコンタクト部材６７を介して複数の表示電極Ｘを一括に駆動する。コンタクト部材６７は一様な導体であり、プラズマディスプレイパネル２の水平方向の一方側の端縁に沿って配置された表示電極Ｘの端子列に対応する長さをもつ。コンタクト部材６７を端子列に重ねることによって、多数の表示電極Ｘが電気的に共通化される。
【００１９】
Ｙドライバ６２はコンタクト部材６８を介して複数の表示電極Ｙを個別に駆動する。コンタクト部材６８は、各表示電極Ｙに対応する導体パターンを有した配線板であり、プラズマディスプレイパネル２の水平方向の他方側の端縁に沿って配置された表示電極Ｙの端子列に重ねられる。各表示電極Ｙは個別にＹドライバ６２と接続される。
【００２０】
Ａドライバ６３はコンタクト部材６９を介して多数のアドレス電極Ａを一括に駆動する。コンタクト部材６９は一様な導体であり、プラズマディスプレイパネル２の垂直方向の片側の端縁に沿って配置されたアドレス電極Ａの端子列に対応する長さをもつ。コンタクト部材６９を端子列に重ねることによって、全てのアドレス電極Ａが電気的に共通化される。
【００２１】
点灯検査の準備として、検査用表示装置１に搬入されたプラズマディスプレイパネル２の周辺部の所定位置にコンタクト部材６７，６８，６９が重ねられ、例えば図示しないクリップでプラズマディスプレイパネル２に固定される。このとき、コンタクト部材６７およびコンタクト部材６９については、それぞれが共通化すべき端子群と接触すればよく、高精度の位置決めは不要である。特にアドレス電極Ａの端子の配列ピッチは表示電極Ｘ，Ｙの端子の配列ピッチよりも小さいので、アドレス電極Ａの端子群を電気的に一括してもよいということは、検査用表示装置１とプラズマディスプレイパネル２との接続の迅速化に貢献する。
【００２２】
点灯検査において、プラズマディスプレイパネル２が接続された検査用表示装置１は、図２に示されるフレームＦを例えばフレームレート１／６０で繰り返し表示する。フレームＦは、画面内の全セルを点灯すべきセルとする２値画像である第１サブフレームＳＦ１と、全セルを点灯すべきでないセルとする２値画像である第２サブフレームＳＦ２とから構成される。第１サブフレームＳＦ１の数と第２サブフレームＳＦ２の数は等しく、フレームＦのサブフレーム数は偶数である。
【００２３】
例えば、フレームＦは、５個の第１サブフレームＳＦ１と５個の第２サブフレームＳＦ２の計１０個のサブフレームで構成される。約１６．７ｍｓのフレーム周期Ｔｆが均等に１０分割され、各第１サブフレームＳＦ１と各第２サブフレームＳＦ２とに約１．６７ｍｓの時間が割り当てられる。そして、第１サブフレームＳＦ１および第２サブフレームＳＦ２は一つずつ交互に表示される。これにより、画面５０に欠陥がなければ、全体的な目視観察において画面５０は白色と黒色の中間の明るさをもつ一様な無彩色の面に見える。
【００２４】
第１サブフレームＳＦ１に割り当てられる時間はリセット期間ＴＲと第１アドレス期間ＴＡ１とサステイン期間ＴＳとに区分され、第２サブフレームＳＦ２に割り当てられる時間はリセット期間ＴＲと第２アドレス期間ＴＡ２とサステイン期間ＴＳに区分される。第１サブフレームＳＦ１と第２サブフレームＳＦ２との間で、区分された３つの期間のそれぞれの長さは等しく、図３に示されるようにリセット期間ＴＲおよびサステイン期間ＴＳの駆動波形は共通である。
【００２５】
リセット期間ＴＲにおいて、画面５０内の各セルの壁電圧を低下させるためのリセット操作（壁電荷の初期化）が行われる。図３の例示では、リセット期間ＴＲにいわゆる鈍波リセットが行われる。鈍波リセットは、ランプ波形パルスに代表される鈍波パルスの印加によって各表示ラインを定める表示電極対の電極間で微弱な放電を連続的に生じさせ、それによって表示電極対を覆う誘電体における壁電荷量を調整する操作である。本実施形態における鈍波リセット終了時の壁電荷量は表示放電に必要な量よりも少ない。
【００２６】
第１アドレス期間ＴＡ１および第２アドレス期間ＴＡ２のどちらにおいても、表示ライン数と同数の表示電極Ｙに対して配列の先頭の１番目から最後のｎ番目まで例えば１本ずつ順に負極性のスキャンパルスＰｙが印加され、それによって表示ラインが順番に選択される。しかし、表示ラインの選択に同期して行われるアドレス電極Ａの電位の制御は、第１アドレス期間ＴＡ１と第２アドレス期間ＴＡ２とで異なる。
【００２７】
第１サブフレームＳＦ１に係る第１アドレス期間ＴＡ１では、コンタクト部材６９で一括に電気的に接続された複数のアドレス電極Ａが、最初のスキャンパルスＰｙの印加開始から最後のスキャンパルスＰｙの印加終了までの期間にわたって、正極性の選択電位Ｖａにバイアスされる。この操作は、画面５０内の全てのセルにライン順次にアドレスパルスを印加するのと同様の作用を奏する。スキャンパルスＰｙの印加されたセルにおいて、表示電極Ｙとアドレス電極Ａとの間でアドレス放電が生じる。このアドレス放電がトリガーとなって表示電極Ｙと適切にバイアスされた表示電極Ｘとの間で放電が生じ、表示電極対を覆う誘電体にサステインに必要な壁電荷が形成される。つまり、第１アドレス期間ＴＡ１では、全てのセルが次のサステイン期間ＴＳで点灯するように壁電荷を制御する書き込み形式の全面点灯アドレッシング操作が行われる。
【００２８】
一方、第２サブフレームＳＦ２に係る第２アドレス期間ＴＡ２では、コンタクト部材６９で一括に電気的に接続された複数のアドレス電極Ａが、最初のスキャンパルスＰｙの印加開始から最後のスキャンパルスＰｙの印加終了までの期間にわたって、非選択電位（例示では接地電位）に保たれる。これにより、スキャンパルスＰｙが印加されても、表示電極Ｙとアドレス電極Ａとの間のセル電圧は放電開始電圧を超えない。アドレス放電が生じないので、表示電極対を覆う誘電体にはサステインに必要な壁電荷が形成されず、壁電荷量はリセット操作の終了時とほとんど変わらない。つまり、第２アドレス期間ＴＡ２では、全てのセルが次のサステイン期間ＴＳで点灯しないように壁電荷を制御する全面非点灯アドレッシング操作が行われる。
【００２９】
サステイン期間ＴＳにおいては、表示電極Ｙと表示電極Ｘとに交互にサステインパルスＰｓが印加される。サステインパルスＰｓの振幅は面放電開始電圧より若干低いサステイン電圧(Ｖｓ)である。第１サブフレームＳＦ１のサステイン期間ＴＳでは、画面５０内のセルが正常であれば、サステインパルスＰｙの印加ごとに表示電極間の放電が生じてセルが点灯する。点灯したセルはそれが有する蛍光体で決まる表示色を呈する。これに対して、第２サブフレームＳＦ２のサステイン期間ＴＳでは、画面５０内のセルが正常であれば点灯せず、正常でなくても通常は点灯しない。ただし、何らかの要因で余剰点灯が生じる場合はある。
【００３０】
このようにライン順次のアドレッシング操作を含む駆動シーケンスは、プラズマディスプレイパネル２を任意の映像の表示に使用するときの駆動シーケンスに似ており、実使用時の点灯状態を確認する上で有用であるとともに、実使用のための駆動デバイスを点灯検査に流用することができるという利点を有する。フレームＦの表示では全セルを一括して点灯させるようにまたは点灯させないように駆動するので、ライン順次の表示ライン選択に代えて全表示ラインに一斉にスキャンパルスＰｙを印加することが原理的には可能である。しかし、それには全セルに一斉にアドレス放電電流を供給するアドレス電極用のドライバが必要である。本実施形態によれば、特別のドライバを使用せずに点灯検査を実施することができる。
【００３１】
アドレッシング操作の所要時間はスキャンパルス幅と表示ライン数とに依存する。例えばスキャンパルス幅が１μｓで表示ライン数が１０８０である場合の１サブフレームあたりのアドレッシング時間は１．０８ｍｓである。フレームＦが１０サブフレーム編成である場合において、１サブフレームに対する割り当て時間は約１．６７ｍｓであるので、例えばリセット操作およびサステイン操作に順に０．２７ｍｓ、０．３２ｍｓを割り当てることができる。表示電極間に交番極性電圧を印加する一対のサステインパルスを１パルスとみなしたパルス幅を１０μｓとすると、０．３２ｍｓのサステイン期間ＴＳにおいて６４回のサステイン放電を生じさせることができる。
【００３２】
プラズマディスプレイパネル２の点灯検査を担当する作業者は、検査用表示装置１がフレームＦを繰り返し表示している状態の画面５０を例えば数分程度の時間をかけて観察し、セルの欠陥や電極の断線といった不具合の有無を調べる。画面５０の全体にわたって明るさおよび表示色が一様であれば点灯状態は良好であり、顕著な暗点または輝点があれば点灯状態は不良である。暗点の多くは表示電極のパターニング不良によって生じる。輝点の主な原因はガス放電空間を区画する隔壁の欠けである。あらかじめプラズマディスプレイパネル２の良否判定の基準が定められており、作業者は観察結果を基準に照らしてプラズマディスプレイパネル２の品質の良否を決める。
【００３３】
アドレス電極の断線は表示色の乱れとして現れるので見つけ易い。アドレス電極の断線がなければ、赤、緑および青のセルが点灯するので、表示色は上述のように中間調の無彩色である。しかし、例えば青のセルに対応するアドレス電極Ａが断線していると、断線したアドレス電極Ａの付近の表示色は青の補色（赤と緑の混色）となる。緑のセルに対応するアドレス電極Ａが断線していると、断線したアドレス電極Ａの付近の表示色は緑の補色（赤と青の混色）となる。隣接するアドレス電極Ａが共に断線していると、断線したアドレス電極Ａの付近の表示色は３色のうちのいずれかの単色となる。いずれにしても、画面５０において局部的に表示色が有彩色になる。なお、１本のアドレス電極Ａとその両隣のものを合わせた３本のアドレス電極Ａが断線している場合には、画面５０のうちのこれらアドレス電極Ａに対応する部分が暗い線として見える。
【００３４】
図４はプラズマディスプレイパネル２のセル構造の一例を示す。プラズマディスプレイパネル２は前面板１０、背面板２０および図示しない放電ガスから構成される。図では内部構造を解り易くするために前面板１０と背面板２０とを分離させて描いてある。
【００３５】
前面板１０は、ガラス基板１１、第１の表示電極Ｘ、第２の表示電極Ｙ、誘電体層１７、および誘電体層１７に対するスパッタリングを防ぐ保護膜１８を備える。表示電極Ｘ，Ｙのそれぞれは透明導体と給電のバスである金属帯とからなる。誘電体層１７および保護膜１８は、画面の全体にわたって拡がり、表示電極Ｘ，Ｙを被覆する。
【００３６】
背面板２０は、ガラス基板２１、アドレス電極Ａ、誘電体層２２、格子状の隔壁２３、赤（Ｒ）の蛍光体２６、緑（Ｇ）の蛍光体２７、および青（Ｂ）の蛍光体２８を備える。隔壁２３は、アドレス電極Ａと平行な複数の垂直壁２４と、表示電極Ｘおよび表示電極Ｙと平行な複数の水平壁２５とから構成される。
【００３７】
蛍光体の配置で決まる画面の色配列は、水平方向にＲ，Ｂ，Ｇの順に３色が繰り返し並ぶストライプ配列である。マトリクス表示の各列に対応する垂直セル列ではセルの発色は同じであり、隣接する垂直セル列の間では発色が異なる。各アドレス電極Ａには赤、緑および青の３色のうちのいずれか１色が対応する。
【００３８】
なお、表示電極Ｘ，Ｙの配列は広く知られる２つの形態のどちらでもよい。１つは、図示のように表示ラインに一対ずつ表示電極を配列して隣接する表示ライン間の電極間隙を各表示ラインにおける電極間隙（面放電ギャップ）よりも広くするものである。他の１つは、表示電極を等間隔に配列して全ての表示電極間隙を面放電ギャップとするものである。また、隔壁パターンは図示の格子パターンに限らずストライプパターンでもよい。
【００３９】
以上の実施形態によれば、全面点灯画像である第１サブフレームＳＦ１と全面非点灯画像である第２サブフレームＳＦ２とを交互に表示することによって中間調を表示するので、駆動周波数を低くして全面点灯画像のみを表示する場合と比べて、非点灯であるべきセルが点灯セルからの誘導で点灯する現象（余剰点灯）が生じにくく電極の断線を見つけ易い。
【００４０】
上述の実施形態において、フレームＦのサブフレーム編成はサブフレーム数が２以上であって第１サブフレームＳＦ１および第２サブフレームＳＦ２を含むものであればよい。第１サブフレームＳＦ１の数と第２サブフレームＳＦ２の数とが同数であるのが望ましいが、異なっていてもよい。必ずしも第１サブフレームＳＦ１と第２サブフレームＳＦ２とを一つずつ交互に表示する必要はなく、２以上の第１サブフレームＳＦ１を続けて表示した後に第２サブフレームＳＦ２を表示したり、逆に２以上の第２サブフレームＳＦ２を続けて表示した後に第１サブフレームＳＦ１を表示したりする表示順序を採用することができる。また、第１サブフレームＳＦ１と第２サブフレームＳＦ２とに同じ長さの時間を割り当てる必要もない。サステイン期間ＴＳの長さを第１サブフレームＳＦ１と第２サブフレームＳＦ２とで異ならせてもよい。
【００４１】
作業者が点灯状態の良否を判定する例を挙げたが、画像認識技術を用いて検査を自動化することができる。検査位置へのプラズマディスプレイパネル２のセッティングおよびコンタクト部材６７〜６９を用いて行う検査用表示装置１とプラズマディスプレイパネル２との電気的接続を自動化してもよいし、作業者が行ってもよい。
【００４２】
図示の駆動波形は一例であり、振幅、極性およびタイミングを様々に変更することができる。例えば、サステイン期間ＴＳにおいて、表示電極Ｘと表示電極Ｙとに互いに極性の異なるパルスを同時に印加することによって表示電極間にサステイン電圧を印加してもよい。サステイン放電の放電確率を高めるため、サステイン期間の初期のパルス振幅やパルス幅を大きくしてもよい。アドレス電極Ａを２分割して２表示ラインを同時に選択するダブルスキャン方式を採用することができる。
【図面の簡単な説明】
【００４３】
【図１】本発明の実施形態に係る検査用表示装置の構成の概略を示す図である。
【図２】検査用表示装置が表示するフレームの構成を示す図である。
【図３】駆動波形の一例を示す図である。
【図４】プラズマディスプレイパネルのセル構造の一例を示す図である。
【符号の説明】
【００４４】
１    検査用表示装置
２    プラズマディスプレイパネル
１７    誘電体層（誘電体）
Ｘ，Ｙ    表示電極
Ａ    アドレス電極
５０    画面
ＳＦ１    第１サブフレーム
ＳＦ２    第２サブフレーム
Ｆ    フレーム
ＴＲ    リセット期間
ＴＡ１    第１アドレス期間
ＴＡ２    第２アドレス期間
ＴＳ    サステイン期間
Ｖａ    選択電位
Ｐｙ    スキャンパルス
Ｐｓ    サステインパルス
６９    コンタクト部材（導体）
６１    Ｘドライバ
６２    Ｙドライバ
６３    Ａドライバ
６５    コントローラ
６５１，６５２    制御部
【図１】
2010062047.tif 000003
【図２】
2010062047.tif 000004
【図３】
2010062047.tif 000005
【図４】
2010062047.tif 000006